(57)【要約】  本発明は、本体部、電極と分離膜を巻き取る巻芯、および前記本体部に連結され、異物を除去する異物除去部を含み、前記異物除去部は巻芯から離隔した状態で前記巻芯の周辺を囲む構造の電極組立体製造用巻取り装置に関するものである。
2021509760.tif 000002
【特許請求の範囲】
【請求項１】
本体部；
電極と分離膜を巻き取る巻芯；および
前記本体部に連結され、異物を除去する異物除去部；
を含み、
前記異物除去部は、巻芯から離隔した状態で前記巻芯の周辺を囲む構造として形成された、電極組立体製造用巻取り装置。
【請求項２】
前記異物除去部には、前記電極と前記分離膜が流入する流入部を含む、請求項１に記載の電極組立体製造用巻取り装置。
【請求項３】
前記異物除去部は、円筒構造として形成された、請求項１に記載の電極組立体製造用巻取り装置。
【請求項４】
前記円筒の直径は、少なくとも前記電極組立体の直径より大きい、請求項３に記載の電極組立体製造用巻取り装置。
【請求項５】
前記異物除去部は、内面に形成された吸入口を含む、請求項１に記載の電極組立体製造用巻取り装置。
【請求項６】
前記吸入口を通じて吸入された前記異物は、前記本体部を通じて外部に放出される、請求項５に記載の電極組立体製造用巻取り装置。
【請求項７】
前記異物除去部は、前記本体部から分離される、請求項１にきさいの電極組立体製造用巻取り装置。
【請求項８】
前記異物除去部は、磁石をさらに含む、請求項２に記載の電極組立体製造用巻取り装置。
【請求項９】
前記磁石は、前記流入部が形成された前記異物除去部部位に形成された、請求項８に記載の電極組立体製造用巻取り装置。
【請求項１０】
前記異物除去部の開口部を覆う蓋部をさらに含む、請求項１に記載の電極組立体製造用巻取り装置。
【請求項１１】
前記蓋部は、前記本体部から分離される、請求項１０に記載の電極組立体製造用巻取り装置。
【発明の詳細な説明】
【技術分野】
【０００１】
本出願は、２０１８年９月１９日付韓国特許出願第１０−２０１８−０１１２４１３号に基づいた優先権の利益を主張し、当該韓国特許出願の文献に開示された全ての内容は本明細書の一部として含まれる。
【０００２】
本発明は、電極組立体製造用巻取り装置に関するものである。
【背景技術】
【０００３】
最近、化石燃料の枯渇によるエネルギー源の価格上昇、環境汚染の関心が増幅されるにつれて、環境にやさしい代替エネルギー源に対する要求が未来生活のための必須不可欠な要因になっている。よって、原子力、太陽光、風力、潮力など多様な電力生産技術に対する研究が持続しており、このように生産されたエネルギーをさらに効率的に使用するための電力貯蔵装置も大きな関心が続いている。
【０００４】
さらに、モバイル機器と電池自動車に対する技術開発と需要が増加することによってエネルギー源としての電池の需要が急激に増加しており、これにより、多様な要求に応えられる電池に関する多くの研究が行われている。特に、材料面では、高いエネルギー密度、放電電圧、出力安定性などの長所を有するリチウムイオン電池、リチウムイオンポリマー電池などのようなリチウム二次電池に対する需要が高い。
【０００５】
二次電池は、正極、負極、および正極と負極の間に介される分離膜が積層された構造の電極組立体がいかなる構造になっているかによって分類される。代表的には、長いシート型の正極と負極を分離膜が介された状態で巻き取った構造のゼリーロール型（巻取り型）電極組立体、所定大きさの単位で切り取った複数の正極と負極を分離膜を介した状態で順次に積層したスタック型（積層型）電極組立体などが挙げられ、最近は、前記ゼリーロール型電極組立体およびスタック型電極組立体が有する問題点を解決するために、前記ゼリーロール型とスタック型の混合形態である一歩進んだ構造の電極組立体であって、所定単位の正極と負極を分離膜を介した状態で積層した単位セルを分離フィルム上に位置させた状態で順次に巻き取った構造のスタック／フォールディング型電極組立体が開発された。
【０００６】
このような電極組立体のうち、ゼリーロール型電極組立体は製造が容易であり、重量当りエネルギー密度が高い長所を有していて、携帯用コンピュータから電池自動車に至るまで多様な機器のエネルギー源として使用されている。
【０００７】
図１は、従来のゼリーロール型電極組立体製造装置の巻取り部を示す模式図である。
【０００８】
図１を参照すれば、巻取り部１０において、正極１１、負極１２、および分離膜１３が巻芯１５に流入して巻き取られることによってゼリーロールが作られる。ゼリーロール型電極組立体製造装置は巻取り部１０以外に、図示しないが、電極融着部、電極切断部、およびローラ駆動部などの多様な設備を含み、これら設備の作動によって多様な金属および非金属異物が発生する。このような異物が巻芯１５に流入する正極１１と負極１２の表面に位置して共に巻き取られることによって、低電圧および短絡のような問題点を招く。
【０００９】
このような問題点を解決するために、巻芯１５に流入する正極１１と負極１２部位に異物除去装置１４を配置して金属異物を除去する方法が使用されている。
【００１０】
しかし、先に言及した異物は正極１１、負極１２、および分離膜１３が流入する部位以外にも多様なところから流入するので、電極および分離膜の周囲に局部的に設置された異物除去装置では前記異物を効果的に除去できないという問題点がある。
【００１１】
したがって、このような問題点を根本的に解決することができる技術に対する必要性がある。
【発明の概要】
【発明が解決しようとする課題】
【００１２】
本発明は、前記のような従来の技術の問題点と過去から要請されてきた技術的課題を解決することを目的とする。
【００１３】
本出願の発明者らは、深度ある研究と多様な実験を重ねた末に、以後に説明するように、電極組立体製造用巻取り装置が巻芯の周辺を囲む構造の異物除去部を含み、異物除去部の内面には吸入口を形成することによって異物を効果的に除去することができるのを確認して本発明を完成するに至った。
【課題を解決するための手段】
【００１４】
このような目的を達成するための本発明による電極組立体製造用巻取り装置は、本体部、電極と分離膜を巻き取る巻芯、および前記本体部に連結され、異物を除去する異物除去部を含み、前記異物除去部は巻芯から離隔した状態で前記巻芯の周辺を囲む構造として形成することができる。
【００１５】
前記異物除去部には、前記電極と前記分離膜が流入する流入部を含むことができる。
【００１６】
前記異物除去部は、円筒構造として形成することができる。
【００１７】
前記円筒の直径は、少なくとも前記電極組立体の直径より大きく形成することができる。
【００１８】
前記異物除去部は、内面に形成された吸入口を含むことができる。
【００１９】
前記吸入口を通じて吸入された前記異物は、前記本体部を通じて外部に放出することができる。
【００２０】
前記異物除去部は、前記本体部から分離することができる。
【００２１】
前記異物除去部は、磁石をさらに含むことができる。
【００２２】
前記磁石は、前記流入部が形成された前記異物除去部部位に形成することができる。
【００２３】
前記異物除去部の開口部を覆う蓋部をさらに含むことができる。
【００２４】
前記蓋部は、前記本体部から分離することができる。
【発明の効果】
【００２５】
本発明による電極組立体製造用巻取り装置は、巻芯の周辺を囲む構造の異物除去部を含み、異物除去部の内面には吸入口を形成することによって異物の流入を防止することができるだけでなく、流入した異物を効果的に除去することができる。
【図面の簡単な説明】
【００２６】
【図１】従来のゼリーロール型電極組立体製造装置の巻取り部を示す模式図である。
【図２】本発明の一実施形態による電極組立体製造用巻取り装置を示す模式図である。
【図３】図２の電極組立体製造用巻取り装置の断面図である。
【図４】本発明の他の一実施形態による電極組立体製造用巻取り装置を示す模式図である。
【図５】本発明の他の一実施形態による電極組立体製造用巻取り装置を示す模式図である。
【発明を実施するための形態】
【００２７】
以下、添付した図面を参考として本発明の様々な実施形態について本発明の属する技術分野における通常の知識を有する者が容易に実施できるように詳しく説明する。本発明は様々の異なる形態に実現することができ、ここで説明する実施形態に限定されない。
【００２８】
また、明細書全体において、ある部分がある構成要素を"含む"という時、これは、特に反対になる記載がない限り、他の構成要素を除くのではなく他の構成要素をさらに含むことができるのを意味する。
【００２９】
また、明細書全体において、"断面図"という時、これは対象部分を垂直に切断した断面を横から見た時を意味する。
【００３０】
図２は、本発明の一実施形態による電極組立体製造用巻取り装置を示す模式図である。図３は、図２の電極組立体製造用巻取り装置の断面図である。
【００３１】
図２および図３を参照すれば、電極組立体製造用巻取り装置１００は、本体部１０１、巻芯１０２、および異物除去部１０３を含む。異物除去部１０３には、電極（図示せず）と分離膜（図示せず）が流入する流入部１０４が形成されている。電極と分離膜は流入部１０４を通じて巻芯１０２に流入して巻き取られる。
【００３２】
流入部１０４の形状は電極と分離膜の形状によって多様に形成することができるが、流入部１０４を通じた異物の流入を最少化するために、電極と分離膜が干渉されずに流入できる最小限の大きさで形成されることが好ましい。一般に、電極と分離膜は一定の厚さを有する幅に比べて長さが長いシート形状であるので、流入部１０４はシートが流入できる形状であってもよい。
【００３３】
異物除去部１０３の形状は特に限定されず、所望の電極組立体の形状および製造設備などを考慮して多様に形成することができるが、巻芯１０２から一定の離隔距離を維持しながら巻芯１０２を囲む円筒構造として形成するのが好ましい。図２に示された異物除去部１０３は、円筒構造として形成されている。異物除去部１０３の直径は、少なくとも巻取りが完了された電極組立体の直径より大きくてもよい。そして、異物除去部１０３の長さは、少なくとも巻芯１０２の長さより同じか長い。ここで、異物除去部１０３の長さとは、巻芯１０２が伸びている方向に沿って定義される長さを意味する。このような構造によって、電極と分離膜が巻き取られる時、異物が巻芯に流入することを効果的に防止することができる。
【００３４】
異物除去部１０３の内面１０９には、複数の吸入口１０５が形成されている。吸入口１０５が形成される位置は特に限定されないが、異物除去部１０３の内面１０９に所定の間隔を維持しながら形成することができる。作業者の必要によって、吸入口１０５は特定の部位に相対的に多く形成することができる。一つの例として、吸入口１０５は異物除去部１０３の開口部１０６に隣接した異物除去部１０３内面に集中的に配置されて、開口部１０６を通じて流入する異物を効果的に除去することができる。ここで、開口部１０６は、外部空間と円筒構造の異物除去部１０５内部空間の間の境界に該当する部分であってもよい。または、吸入口１０５は流入部１０４に隣接した異物除去部１０３の内面１０９に集中的に配置されて、流入部１０４を通じて流入する異物を効果的に除去することができる。吸入口１０５を通じて流入した異物は、異物除去部１０３の内面１０９と外面１１０の間の内部移動通路１２１を通じて本体部１０１に移動して外部に放出される。本体部１０１には、空気吸入ポンプ１２０を形成することができ、このような空気吸入ポンプ１２０によって吸入口１０５を通じて異物除去部１０３に異物が流入して本体部１０１を通じて外部に放出できる。
【００３５】
このような構造を通じて、電極と分離膜が巻き取られる時、異物が巻芯１０２に流入するのを防止することができるだけでなく、流入した異物も吸入口１０５を通じて効果的に除去することができる。
【００３６】
異物除去部１０３は本体部１０１に連結されているが、必要によって分離可能である。
【００３７】
図４は、本発明による他の一実施形態による電極組立体製造用巻取り装置を示す模式図である。
【００３８】
図４を参照すれば、電極組立体製造用巻取り装置２００は、流入部１０４が形成された異物除去部１０３部位に磁石１０７をさらに含んでいる。説明の便宜のために、複数の磁石１０７のうち、代表的に一つの磁石のみを指示線で表示した。磁石１０７は、流入部１０４に流入する電極についている金属異物を磁力で分離除去する。前記金属異物は前記電極の切断加工過程で発生し、非金属異物の重量より重くて吸入口１０５を通じて吸入されない場合がある。除去されなかった前記金属異物が前記電極と共に巻き取られる場合、電極組立体の変形だけでなく短絡を誘発する。
【００３９】
異物除去部１０３において、磁石１０７が形成される部位は特に限定されない。異物除去部１０３の外面１１０だけでなく内面１０９にも形成することができ、必要な場合、異物除去部１０３の一部または全部を磁石から形成することができる。
【００４０】
図５は、本発明による他の一実施形態による電極組立体製造用巻取り装置を示す模式図である。
【００４１】
図５を参照すれば、電極組立体製造用巻取り装置３００は、蓋部１０８をさらに含むことができる。蓋部１０８は、開口部１０６を覆う形態に異物除去部１０３に連結される。電極組立体の巻取り過程中、蓋部１０８は異物除去部１０３に結合されていて、開口部１０６を通じて異物が流入することを防止する。前記電極組立体の巻取りが完了すれば、蓋部１０８を異物除去部１０３から分離し、前記電極組立体を巻芯１０２から分離することができる。
【００４２】
本発明の属した分野における通常の知識を有する者であれば、前記の内容に基づいて本発明の範疇内で多様な応用および変形を行うことができるはずである。
【産業上の利用可能性】
【００４３】
以上で説明した通り、本発明による電極組立体製造用巻取り装置は、巻芯の周辺を囲む構造の異物除去部を含み、異物除去部の内面には吸入口を形成することによって、異物の流入を防止することができるだけでなく、流入した異物を効果的に除去することができる。
【符号の説明】
【００４４】
１００      電極組立体製造用巻取り装置
１０１      本体部
１０２      巻芯
１０３      異物除去部
１０４      流入部
１０５      吸入口
１０６      開口部
１０７      磁石
１０８      蓋部
１０９      内面
１２０      空気吸入ポンプ
【図１】
2021509760.tif 000003
【図２】
2021509760.tif 000004
【図３】
2021509760.tif 000005
【図４】
2021509760.tif 000006
【図５】
2021509760.tif 000007
【手続補正書】
【提出日】令和2年7月7日(2020.7.7)
【手続補正１】
【補正対象書類名】特許請求の範囲
【補正対象項目名】全文
【補正方法】変更
【補正の内容】
【特許請求の範囲】
【請求項１】
本体部；
電極と分離膜を巻き取る巻芯；および
前記本体部に連結され、異物を除去する異物除去部；
を含み、
前記異物除去部は、巻芯から離隔した状態で前記巻芯の周辺を囲む構造である、電極組立体製造用巻取り装置。
【請求項２】
前記異物除去部には、前記電極と前記分離膜が流入する流入部を含む、請求項１に記載の電極組立体製造用巻取り装置。
【請求項３】
前記異物除去部は、円筒構造である、請求項１または２に記載の電極組立体製造用巻取り装置。
【請求項４】
前記円筒の直径は、少なくとも電極組立体の直径より大きい、請求項３に記載の電極組立体製造用巻取り装置。
【請求項５】
前記異物除去部は、内面に形成された吸入口を含む、請求項１から４のいずれか一項に記載の電極組立体製造用巻取り装置。
【請求項６】
前記吸入口を通じて吸入された前記異物は、前記本体部を通じて外部に放出される、請求項５に記載の電極組立体製造用巻取り装置。
【請求項７】
前記異物除去部は、前記本体部から分離される、請求項１から６のいずれか一項に記載の電極組立体製造用巻取り装置。
【請求項８】
前記異物除去部は、磁石をさらに含む、請求項２に記載の電極組立体製造用巻取り装置。
【請求項９】
前記磁石は、前記流入部が形成された前記異物除去部の部位に含まれる、請求項８に記載の電極組立体製造用巻取り装置。
【請求項１０】
前記異物除去部の開口部を覆う蓋部をさらに含む、請求項１から９のいずれか一項に記載の電極組立体製造用巻取り装置。
【請求項１１】
前記蓋部は、前記本体部から分離される、請求項１０に記載の電極組立体製造用巻取り装置。
【手続補正２】
【補正対象書類名】明細書
【補正対象項目名】０００９
【補正方法】変更
【補正の内容】
【０００９】
このような問題点を解決するために、巻芯１５に流入する正極１１と負極１２の部位に異物除去装置１４を配置して金属異物を除去する方法が使用されている。
【手続補正３】
【補正対象書類名】明細書
【補正対象項目名】００１１
【補正方法】変更
【補正の内容】
【００１１】
したがって、このような問題点を根本的に解決することができる技術が必要である。
【手続補正４】
【補正対象書類名】明細書
【補正対象項目名】００２２
【補正方法】変更
【補正の内容】
【００２２】
前記磁石は、前記流入部が形成された前記異物除去部の部位に形成することができる。
【手続補正５】
【補正対象書類名】明細書
【補正対象項目名】００３４
【補正方法】変更
【補正の内容】
【００３４】
異物除去部１０３の内面１０９には、複数の吸入口１０５が形成されている。吸入口１０５が形成される位置は特に限定されないが、異物除去部１０３の内面１０９に所定の間隔を維持しながら形成することができる。作業者の必要によって、吸入口１０５は特定の部位に相対的に多く形成することができる。一つの例として、吸入口１０５は異物除去部１０３の開口部１０６に隣接した異物除去部１０３内面に集中的に配置されて、開口部１０６を通じて流入する異物を効果的に除去することができる。ここで、開口部１０６は、外部空間と円筒構造の異物除去部１０５の内部空間の間の境界に該当する部分であってもよい。または、吸入口１０５は流入部１０４に隣接した異物除去部１０３の内面１０９に集中的に配置されて、流入部１０４を通じて流入する異物を効果的に除去することができる。吸入口１０５を通じて流入した異物は、異物除去部１０３の内面１０９と外面１１０の間の内部移動通路１２１を通じて本体部１０１に移動して外部に放出される。本体部１０１には、空気吸入ポンプ１２０を形成することができ、このような空気吸入ポンプ１２０によって吸入口１０５を通じて異物除去部１０３に異物が流入して本体部１０１を通じて外部に放出できる。
【手続補正６】
【補正対象書類名】明細書
【補正対象項目名】００３８
【補正方法】変更
【補正の内容】
【００３８】
図４を参照すれば、電極組立体製造用巻取り装置１００は、流入部１０４が形成された異物除去部１０３の部位に磁石１０７をさらに含んでいる。説明の便宜のために、複数の磁石１０７のうち、代表的に一つの磁石のみを指示線で表示した。磁石１０７は、流入部１０４に流入する電極についている金属異物を磁力で分離除去する。前記金属異物は前記電極の切断加工過程で発生し、非金属異物の重量より重くて吸入口１０５を通じて吸入されない場合がある。除去されなかった前記金属異物が前記電極と共に巻き取られる場合、電極組立体の変形だけでなく短絡を誘発する。
【手続補正７】
【補正対象書類名】明細書
【補正対象項目名】００４１
【補正方法】変更
【補正の内容】
【００４１】
図５を参照すれば、電極組立体製造用巻取り装置１００は、蓋部１０８をさらに含むことができる。蓋部１０８は、開口部１０６を覆う形態に異物除去部１０３に連結される。電極組立体の巻取り過程中、蓋部１０８は異物除去部１０３に結合されていて、開口部１０６を通じて異物が流入することを防止する。前記電極組立体の巻取りが完了すれば、蓋部１０８を異物除去部１０３から分離し、前記電極組立体を巻芯１０２から分離することができる。
【国際調査報告】
2021509760.tif 000008
2021509760.tif 000009
2021509760.tif 000010
2021509760.tif 000011